(57)【特許請求の範囲】
【請求項１】
横長の本体を備えて汚泥を脱水する複数の脱水機と、やはり横長の本体を備えて上記脱水機により脱水された汚泥のケーキを乾燥する複数の乾燥機とを有し、これらの脱水機と乾燥機とが、平面視においてそれぞれの横長の本体を互いに並列にし、かつ少なくとも上記脱水機同士と乾燥機同士とでそれぞれの本体がその長手方向一端部を該長手方向に略揃えて配設されるとともに、これら脱水機と乾燥機の本体の長手方向一端部側には、脱水機により脱水された汚泥のケーキを乾燥機に搬送するコンベアが敷設されており、上記脱水機にあってはこの一端部側に脱水処理された汚泥のケーキを排出するようにし、また乾燥機にあっては同じ一端部側から汚泥ケーキを供給するようにして、上記コンベアにより、上記複数の脱水機から排出されたケーキを上記複数の乾燥機に搬送して供給することを特徴とする汚泥の処理設備。
【請求項２】
上記コンベアは、平面視において上記長手方向に直交する方向に敷設されており、このコンベアの上記乾燥機側の端部は上記直交方向に該乾燥機を越えて延長されて、汚泥のケーキを未乾燥のまま直接的にケーキヤードに投入可能とされていることを特徴とする請求項１に記載の汚泥の処理設備。
【請求項３】
上記複数の乾燥機の一端部側には、すべての乾燥機の上記本体に汚泥のケーキを供給可能な単一の供給手段が備えられていることを特徴とする請求項１または請求項２に記載の汚泥の処理設備。
【請求項４】
一対の上記乾燥機を有するとともに、上記単一の供給手段には、これらの乾燥機に対して供給される上記汚泥のケーキをそれぞれ分配する定量フィーダと、該汚泥のケーキを破砕するケーキ破砕機とが備えられていることを特徴とする請求項３に記載の汚泥の処理設備。
【請求項５】
少なくとも一対の上記乾燥機を有するとともに、その各乾燥機のエア排出口には、排出されたエアから微細粒子を捕集する単一のエア処理手段が備えられていることを特徴とする請求項１ないし請求項４のいずれかに記載の汚泥の処理設備。
【発明の詳細な説明】
【０００１】
【発明の属する技術分野】
本発明は、浄水スラッジ等の汚泥を脱水する脱水機と、この脱水機によって脱水された汚泥のケーキを乾燥させる乾燥機とを有した汚泥の処理設備に関するものである。
【０００２】
【従来の技術】
浄水場の沈降槽において沈降分離させられた浄水スラッジ等の汚泥は、一般的に処理設備において脱水機により脱水処理されて低含水率の汚泥のケーキとされる。ここで、このような汚泥を脱水する脱水機としては、例えば濾布を張った濾板を開閉可能に横方向に多数重ね合わせた脱水機本体を備え、これらの濾板間に汚泥を供給して濾過、脱水するフィルタープレスや、横置きされた長尺円筒形のスクリーン内にスクリュー軸を回転可能に挿入した本体を備え、上記スクリーン内に供給された汚泥をスクリュー軸の回転によって押し出すうちに圧縮して脱水するスクリュープレス、あるいはロールに巻回されて水平方向に走行する無端状の２枚の濾布を有する本体を備え、これらの濾布の間に供給された汚泥を重力と濾布の張力による圧搾とによって連続的に脱水するベルトプレスなどが知られているが、我が国では浄水スラッジの脱水には専らフィルタープレスが使用されている。
【０００３】
また、こうして脱水された汚泥のケーキは、乾燥機によって乾燥処理された後に園芸用土などとして利用されることがある。このような脱水汚泥のケーキを乾燥させる乾燥機としては、横方向に配された軸線回りに回転可能な円筒状の乾燥機本体を備え、この本体内に蒸気等の加熱媒体が流通させられる加熱管を配設したり、あるいはこの本体内に熱風を直接的に吹き込んだりして、回転する本体内に供給したケーキを上記軸線方向に送り出すうちに、加熱管から伝達される熱や熱風によって加熱乾燥するものが知られている。なお、これらの脱水機および乾燥機は、個々の脱水機や乾燥機ではその本体において処理可能な汚泥やケーキの量に限度があり、また特に上記フィルタープレスにおいてはその脱水作業が回分式とならざるを得ないこともあって、通常は一つの処理設備に複数台ずつの脱水機と乾燥機とが備えられていて、互いに並行して処理が行われるようになされている。
【０００４】
【発明が解決しようとする課題】
ところで、これらの脱水機や乾燥機は、いずれもその本体が横長に構成されたものであって、例えば上記フィルタープレスにおいてはこうして本体を横長とすることにより多数の濾板を横方向に配して１度に多くの汚泥を脱水可能としており、また他の脱水機や乾燥機にあっては横長の本体の長手方向に汚泥やケーキを送りながら脱水や乾燥を行うことにより連続的な処理を可能にしている。しかしながら、こうして脱水機や乾燥機の本体が横長に構成されている場合には、当該脱水機や乾燥機を備える汚泥の処理設備内において、これら脱水機と乾燥機との本体が合理的に配置されてなければ、汚泥の脱水処理から乾燥処理までを効率よく行うことは難しい。
【０００５】
すなわち、これら横長の本体を備えた脱水機や乾燥機においては、この本体の長手方向一端側から汚泥やケーキを供給して本体内で処理した後に他端側に排出するといった構造を採っており、これは上記フィルタープレスにおいても、その本体の一端側から供給された汚泥を脱水処理したケーキは、濾板を開くことによって下方に落とされた後にコンベア等によって一般的に本体の他端側に排出されるため、同様である。従って、脱水から乾燥にかけての処理を効率よく行うためには、脱水機の本体の他端を乾燥機の本体の一端に隣接させて、脱水機本体から排出された脱水ケーキの乾燥機本体への供給が供給手段などによって直線的に行われるように、これら脱水機と乾燥機の本体を平面視に直列的に配設するのが望ましい。
【０００６】
ところが、その一方で、このような横長の脱水機本体と乾燥機本体とをさらに直列的に配置しようとした場合には、いわゆる鰻の寝床状の長大なスペースを処理設備内に確保しなければならず、元々そのような形状の土地に処理設備を建設する場合は別にして、通常の場合は処理設備を建設可能な場所が土地の形状によって制限を受けたり、広大な建設地を要してしかもその中に無駄なスペースが多くとられたりするおそれがある。また、こうして脱水機と乾燥機の本体を直列に配置すると、例えばこれら脱水機および乾燥機への汚泥やケーキの供給・排出状況を監視したりするには、脱水機の一端部と、脱水機の他端部および乾燥機の一端部と、乾燥機の他端部との少なくとも３個所を監視しなければならず、監視に要する労力や設備が増大するとともに、メンテナンスや故障の修理にも多くの時間や労力を要する結果となり、さらには脱水機と乾燥機共通の気液配管や電気配線なども延長させなければならない。そして、このような問題は、上述したように大量の汚泥の処理を連続的かつ並行して可能とするため、脱水機と乾燥機とをそれぞれ複数台ずつ設けた場合に、一層顕著なものとなる。
【０００７】
本発明は、このような事情を鑑みてなされたもので、汚泥の脱水から乾燥にかけての処理効率を維持しつつも、上述のような長大なスペースを要することがなく、また監視やメンテナンスが容易で、しかも配管や配線の延長も短くて済むコンパクトな汚泥の処理設備を提供することを目的としている。
【０００８】
【課題を解決するための手段】
上記課題を解決して、このような目的を達成するために、本発明は、横長の本体を備えて汚泥を脱水する複数の脱水機と、やはり横長の本体を備えて上記脱水機により脱水された汚泥のケーキを乾燥する複数の乾燥機とを有し、これらの脱水機と乾燥機とを、平面視においてそれぞれの横長の本体を互いに並列にし、かつ少なくとも上記脱水機同士と乾燥機同士とでそれぞれの本体を、その長手方向一端部を該長手方向に略揃えて配設するとともに、これら脱水機と乾燥機の本体の長手方向一端部側には、脱水機により脱水された汚泥のケーキを乾燥機に搬送するコンベアを敷設して、上記脱水機にあってはこの一端部側に脱水処理された汚泥のケーキを排出するようにし、また乾燥機にあっては同じ一端部側から汚泥ケーキを供給するようにして、上記コンベアにより、上記複数の脱水機から排出されたケーキを上記複数の乾燥機に搬送して供給することを特徴とする。従って、このような構成の処理設備においては、横長の脱水機の本体と乾燥機の本体とが平面視に互いに並列に配置されているので、これら脱水機と乾燥機の本体を設置するスペースが長大になるのを避けることができる一方、複数の脱水機本体と同じく複数の乾燥機本体の長手方向一端部がそれぞれ略揃えられているため、脱水機にあってはこの一端部側に脱水処理された汚泥のケーキを排出するようにし、また乾燥機にあっては同じ一端部側から汚泥ケーキを供給するようにすることにより、脱水機からの汚泥ケーキを直線的に乾燥機側に搬送して速やかに供給することができ、しかもこれら脱水機および乾燥機の本体の両端部を監視すればよく、またメンテナンスも容易であり、さらに配管や配線なども短くて済む。
【０００９】
ここで、このように脱水機から乾燥機に直線的に脱水汚泥のケーキを搬送するには、上記コンベアを、平面視において上記長手方向に直交する方向に敷設すればよく、この場合において、このコンベアの上記乾燥機側の端部を上記直交方向に該乾燥機を越えて延長して、汚泥のケーキを未乾燥のまま直接的にケーキヤードに投入可能とすれば、例えば乾燥機をメンテナンスや修理などのために停止せざるを得ない場合でも脱水機は稼働させたままとして、排出された汚泥のケーキを上記ケーキヤードに貯留しておくことができる。また、上述のように乾燥機の本体の一端部側から汚泥の脱水ケーキを供給するようにしたときには、これら複数の乾燥機の一端部側に、すべての乾燥機の上記本体に汚泥のケーキを供給可能な単一の供給手段を備えるようにすることができ、これにより、さらに効率的なケーキの供給を図ることができるとともに、設備構造の簡略化を促すことも可能となる。
【００１０】
さらに、これらの乾燥機を一対として、上記単一の供給手段に、これらの乾燥機に対して供給される上記汚泥のケーキをそれぞれ分配する定量フィーダと、該汚泥のケーキを破砕するケーキ破砕機とを備えた場合には、供給手段への脱水ケーキの供給が不安定となっても上記定量フィーダにおいて脱水ケーキを一旦保持することにより、乾燥機本体へのケーキの供給は安定して行うことができるとともに、上記破砕機によってこのケーキを細かく破砕することにより、一層効率的な乾燥を図り、また乾燥機本体内でのケーキの詰まりなども防止することができる。さらにまた、少なくとも一対の乾燥機を有するとともに、その各乾燥機のエア排出口に、排出されたエアから微細粒子を捕集するサイクロン等の単一のエア処理手段を備えれば、より一層の設備構造の簡略化やコストダウンを促すことができる。
【００１１】
【発明の実施の形態】
図１ないし図８は、本発明の一実施形態を示すものであって、汚泥として上述した浄水スラッジの脱水および乾燥を行うのに本発明を適用したものである。本実施形態においては、図１に示すように横長の本体１を備えた３機の脱水機２…と、同じく横長の本体３を備えた２機の乾燥機４…とが、平面視においてそれぞれの本体１…，３…の長手方向（図１〜図３において左右方向）を平行にして互いに並列に配設され、１つのユニットをなしている。
【００１２】
ここで、本実施形態における脱水機２は、図７に示すようなフィルタープレスであり、すなわち濾布５を張った濾板６を開閉可能に多数重ね合わせることによって上記横長の本体１が形成されるものであって、濾板６…を閉じることによって互いに隣接する濾板６，６間に画成される濾室７内に供給孔８から汚泥を供給した上で、加圧水を濾板６に導入することにより濾室７内壁側に設けられたダイヤフラム９を膨張させて汚泥を加圧し、濾過して脱水する。さらに、こうして濾過された濾液は排出孔１０から排出され、また脱水された汚泥のケーキは濾板６…を開くことにより落下し、濾板６…の下方に上記長手方向に沿って敷設されたコンベア１１によって本体１の長手方向一端側（図１〜図３および図７において右側）に排出される。なお、このコンベア１１は、図２に示すように上記長手方向一端側に向かうに従って上向きに傾斜させられている。
【００１３】
一方、本実施形態における乾燥機４は、図８に示すような間接加熱回転式のものであり、すなわち長尺円筒状の上記本体３が、その軸線Ｏを水平にして横方向に配され、駆動装置１２によってこの軸線Ｏ回りに回転可能に支持されており、この本体３の内壁には、内部に蒸気等の加熱媒体が流通させられる多数の加熱管１３…が軸線Ｏに平行に延びるように取り付けられるとともに、これらの加熱管１３…よりも内周側の本体３内には、その長手方向一端側（図１〜図３においては右側、図８においては左側）に設けられた供給口１４から汚泥の脱水ケーキが供給され、このケーキがスクリューフィーダ１５によって軸線Ｏに沿って長手方向他端側に送り出されるうちに、本体３と一体に回転する加熱管１３…により加熱させられて乾燥され、この他端側の排出口１６から乾燥ケーキとして下方に排出される。一方、この乾燥機４の他端側にはエア供給口１７が設けられており、このエア供給口１７から供給された空気は、ケーキとは反対に本体３内を他端側から上記一端側に向けて流れ、加熱によってケーキから蒸発した蒸気を伴って一端側のエア排出口１８から排出される。
【００１４】
そして、本実施形態では、このような脱水機２…と乾燥機４…とが、それぞれにその本体１…，３…の長手方向一端部を互いに該長手方向に揃えて、上述のように並列に配設されている。なお、本実施形態の処理設備では、この長手方向に揃えられた脱水機２…の本体１…の一端部に対して、乾燥機４…の本体３…は、やはりその長手方向に揃えられた一端部が、該長手方向他端側に僅かに後退した位置に配されている。
【００１５】
さらに、これら脱水機２…と乾燥機４…の本体１…，３…の一端部側には、平面視において上記長手方向に直交する方向に延びるように、脱水機２…から排出された汚泥のケーキを乾燥機４…側に搬送するコンベア１９が敷設されている。このコンベア１９は、図４に示すように脱水機２…側から、その上記コンベア１１…の一端部の下を通って乾燥機４…側に向けて延び、これら乾燥機４…の本体３…の上記一端部側を通過した後、さらに延長されて、乾燥機４…の側方に設けられたケーキヤード２０の上方にまで到達させられている。なお、このコンベア１９は、乾燥機４…を越えてからケーキヤード２０の上方に達する部分の間で上向きとなるように傾斜させられている。
【００１６】
さらにまた、互いに並列に配置された上記２機の乾燥機４，４の本体３，３の長手方向に揃えられた一端部側には、上記コンベア１９を挟んで乾燥機４，４とは反対側に、上記脱水機２…側からこのコンベア１９によって搬送された汚泥のケーキを乾燥機４，４の本体３，３のそれぞれに供給するための単一の供給手段２１が、該コンベア１９の敷設方向（図１においては上下方向、図４〜図６においては左右方向）において２機の乾燥機４，４の間に位置するように配設されている。この供給手段２１は、上記コンベア１９から払い出されたケーキを掻き上げて定量フィーダ２２に投入するフライトコンベア等のケーキ投入コンベア２３と、この定量フィーダ２２から単位時間当たり所定量ずつ均等に分配されて排出されるケーキを細かく破砕する２機のケーキ破砕機２４，２４と、こうして破砕されたケーキを掻き上げて移送し、乾燥機４，４のそれぞれの本体３の上記供給口１４に供給するやはりフライトコンベア等の２機のケーキ移送コンベア２５，２５とにより構成されている。
【００１７】
また一方、これらの乾燥機４…の本体３の長手方向他端側の上記排出口１６の直下には、この排出口１６から排出された乾燥したケーキを搬送するコンベア２６が、平面視において上記コンベア１９と平行に脱水機２側とは反対側に延びるように敷設されており、このコンベア２６の端部は、コンベア１９と同様に上記ケーキヤード２０の上方に到達させられている。さらに、上記２機の乾燥機４，４の本体３，３の間には、これらの本体３，３の上記エア排出口１８，１８双方に連結されて、該エア排出口１８，１８から排出されるケーキの乾燥蒸気を伴ったエアから微細な粒子等を捕集する単一のサイクロン２７が本実施形態におけるエア処理手段として設けられており、このサイクロン２７によって捕集された上記微細な粒子は、冷却コンベア２８によって上記コンベア２６に載せられて乾燥ケーキとともにケーキヤード２０に投入される。
【００１８】
このように構成された浄水スラッジ等の汚泥の処理設備においては、まずそれぞれ複数台ずつの脱水機２…と乾燥機４…とが、その横長の本体１…，３…を平面視に互いに並列にして配設されているので、上述のようにこれらの本体１，３を直列に配設した場合などに比べて、該脱水機２…と乾燥機４…とを設置するのに要するスペースが長大となるのを避けることができ、そのような長大なスペースを確保することができない土地にも処理設備を建設することが可能となる。また、このような脱水機２や乾燥機４の本体１，３の周囲には、メンテナンスや修理のためにある程度のスペースを開けておからなればならないが、互いに並列に配置された脱水機２…と乾燥機４…とでは、上記長手方向に直交する方向に互いに隣接する本体１…，３…同士でこのスペースを共有することができるので、これによってもよりコンパクトな処理設備を提供することが可能となる。
【００１９】
そして、その一方で、上記構成の処理設備においては、こうして並列に配置された脱水機２…および乾燥機４…の本体１…，３…が、これら本体１…同士の間と本体３…同士の間で、それぞれその長手方向一端部を該長手方向に揃えて配設されており、これによって本実施形態のように、脱水機１…の本体１…の一端部側から排出された脱水汚泥のケーキをコンベア１９によって直線的に乾燥機４…側に搬送することができる。また、こうして搬送されたケーキについても、乾燥機４…の本体３…の一端部が上記長手方向に揃えられているため、この一端部側の上記供給口１４…から速やかに乾燥機４…の本体３…に供給することができ、すなわち複数の脱水機２…から排出されたケーキを複数の乾燥機４…に搬送して供給するのに、入り組んだコンベアを敷設したりすることがなく、より効率的なケーキの搬送、乾燥を行うことが可能となる。しかも、本実施形態では、この脱水機２…から排出されたケーキを搬送するコンベア１９が、そのまま乾燥機４…の本体３…の一端部側に延長されているので、一層効率的である。
【００２０】
また、このように脱水機２…の本体１…と乾燥機４…の本体３…とを並列に配置した上で、その一端部をそれぞれ揃えておくことにより、例えば脱水機２…への汚泥の供給状態や脱水ケーキの乾燥機４…への搬送、供給状態、および乾燥機４…からの乾燥ケーキの排出、搬送状態などを監視する場合でも、これら並列にして揃えられた本体１…，３…の一端部側とこれとは反対の他端部側とに監視カメラ等の設備を設けたりすればよく、さらにこれら脱水機２…や乾燥機４…のメンテナンスを行う場合でも、上述のように上記長手方向に直交する方向に隣接する本体１…，３…同士で共有されるスペースにおいて、個々の本体１，３の長さの範囲内で作業を行うことができるので、メンテナンスの際の作業者の移動範囲が短くて済み、時間や労力の軽減が図られる。さらにまた、これら脱水機２…や乾燥機４…間で共通の配管や電気配線、例えば各種駆動用の油圧・圧空配管や制御のための電気配線などは、横長の本体１，３の長手方向ではなく、これに直交する方向に延びるように配設すればよく、その総延長を短縮してコストダウンを図ったり、配管や配線が長くなることに起因するトラブルを抑制したりすることが可能となる。
【００２１】
一方、本実施形態の処理設備では、脱水機２…の本体１…の一端部側にコンベア１１…によって排出された脱水汚泥のケーキが、上述のようにこれら本体１…の長手方向に直交する方向に延びるコンベア１９によって乾燥機４…側に搬送されてその本体３…に供給可能とされており、このコンベア１９はさらに乾燥機４…を越えて延びて上記ケーキヤード２０上にまで延設されている。従って、本実施形態によれば、脱水機２…から排出されたケーキを直接的に乾燥機４…には供給せずにこのケーキヤード２０に投入して保持したりすることができ、例えば乾燥機４の修理やメンテナンスの際に脱水ケーキをケーキヤード２０に一旦貯留しておいたり、あるいは乾燥させて園芸用土に利用する量以上の浄水スラッジ等の汚泥が脱水機２…に供給されたときなどに、この汚泥を脱水したケーキを乾燥させることなく、ケーキヤード２０から搬出してそのまま処分したりすることも可能となる。
【００２２】
また、本実施形態においては、２機の乾燥機４，４がその本体３，３を並列かつ一端部を揃えて配設されており、すなわち複数の乾燥機４…の本体３…が、脱水ケーキの供給口１４が設けられたその一端部を上記長手方向に揃えて配設されているため、これらの乾燥機４…の間で脱水ケーキの供給手段２１を共有することができるので、本実施形態では上記単一の供給手段２１によってこれら乾燥機４，４に脱水ケーキを供給するようにしている。従って、これにより設備構造の簡略化やこれに伴うコストダウンが図られるのは勿論のこと、複数の乾燥機４…に対して、均質で、しかも均等なケーキの供給を促すことができ、一層効率的なケーキの乾燥を図ることができる。なお、本実施形態では、乾燥機４…から排出されたエアから微細粒子を捕集するエア処理手段としてのサイクロン２７も単一で共通化されており、より一層の設備構造の簡略化やコストダウンを促すことができる。
【００２３】
さらに、本実施形態の供給手段２１においては、コンベア１９からケーキ投入コンベア２３によって掻き上げられた脱水ケーキが定量フィーダ２２に投入されて一旦保持可能とされており、脱水機２…が回分式のフィルタープレスであるために、この供給手段２１への脱水ケーキの供給が不安定となってしまうことがあっても、乾燥機４…へのケーキの供給は安定して行うことが可能となる。また、こうして定量フィーダ２２から供給されるケーキは、ケーキ破砕機２４によって細かく破砕されてから乾燥機４の本体３に供給されるので、この乾燥機４において一層効率的な乾燥を図ることができるとともに、ケーキの大きな塊によって本体３内に詰まりが生じたりするようなトラブルも防止することができる。一方、本実施形態では脱水機２の脱水ケーキを排出するコンベア１１が排出側となる上記長手方向一端側に向けて上方に傾斜しているとともに、このケーキを乾燥機４側に搬送するコンベア１９も乾燥機４からケーキヤード２０側において上方に傾斜させられているので、これらが水平に配設されている場合などに比べ、当該処理設備の建て屋の高さやケーキヤード２０の深さが大きくなるのを防ぐことができるという利点も得られる。
【００２４】
なお、本実施形態では上述のように脱水機２として脱水効率の高いフィルタープレスを採用しているが、これ以外にも、例えばスクリュープレスやベルトプレスなどの横長の本体を備えた他の種の脱水機を採用することも可能である。これは、乾燥機４についても同様であり、本実施形態のように間接加熱回転式のものの外に、熱風によって直接ケーキを加熱して乾燥するものを採用してもよい。さらに、本実施形態では３機の脱水機２…と２機の乾燥機４…とで１つのユニットを構成しているが、処理すべき汚泥の量などによっては、脱水機２…を増減したり、乾燥機４…を増やしたり、あるいはこのようなユニットをさらに複数設置したりしてもよい。ただし、このようにユニットを増設する場合には、全てのユニット間で脱水機２…と乾燥機４…の本体１…，３…を並列かつ一端部を揃えるように配設すると、上記長手方向に直交する方向に長大な設備となってしまうおそれがあるので、ユニット間においては本体１…，３…同士が直列に配設されていたりしても構わない。
【００２５】
【発明の効果】
以上説明したように、本発明によれば、脱水機と乾燥機の本体を並列に配設することにより、これら脱水機と乾燥機の配置スペースが徒に長大となるのを防いでコンパクトな処理設備を提供することができる一方、こうして並列配置された脱水機と乾燥機の本体の長手方向一端部をそれぞれに該長手方向において略揃えることにより、複数の脱水機から排出されたケーキを複数の乾燥機に搬送して供給するのに、入り組んだコンベアを敷設したりすることがなく、汚泥の脱水から乾燥にかけての効率的な処理を促し、また監視やメンテナンスを容易にし、さらには配管や配線の取り回しも短くして簡略化することが可能となる。
【図面の簡単な説明】
【図１】  本発明の一実施形態を示す平面図である。
【図２】  図１におけるＡＡ矢視図である。
【図３】  図１におけるＢＢ矢視図である。
【図４】  図１におけるＣＣ矢視図である。
【図５】  図１におけるＤＤ矢視図である。
【図６】  図１におけるＥＥ矢視図である。
【図７】  図１に示す実施形態に用いられる脱水機２の（イ）は斜視図、（ロ）は隣接する濾板６，６の断面図である。
【図８】  図１に示す実施形態に用いられる乾燥機４の一部破断斜視図である。
【符号の説明】
１  脱水機２の本体
２  脱水機
３  乾燥機４の本体
４  乾燥機
１９  コンベア
２０  ケーキヤード
２１  供給手段
２２  定量フィーダ
２４  ケーキ破砕機
２７  サイクロン（エア処理手段）
【図１】
0003701530.tif 000002
【図２】
0003701530.tif 000003
【図３】
0003701530.tif 000004
【図４】
0003701530.tif 000005
【図５】
0003701530.tif 000006
【図６】
0003701530.tif 000007
【図７】
0003701530.tif 000008
【図８】
0003701530.tif 000009